【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
（Ｉ）１つ以上の電子ビルオートメーションデバイスであって、
−  デジタルネットワークを介して外部制御コンピュータと通信するよう構成される通信インターフェースと、
−  １つ以上のビルオートメーションデバイスの近くに設置された複数のビーコンから送信される位置特定ビーコン信号を受信するよう構成されるビーコン受信機であって、位置特定ビーコン信号は、該位置特定ビーコン信号を発信したビーコンを識別するビーコン識別子を含む、ビーコン受信機と、
−  前記ビーコン受信機により受信されたビーコン識別子を記憶するためのビーコン識別子メモリと、
−  プロセッサ回路であって、
−  前記ビルオートメーションデバイスを監視し、
−  前記ビルオートメーションデバイスのサービスの必要性を判断し、もしそうなら、
−  前記ビーコン識別子メモリに記憶されたビーコン識別子を含むサービスリクエストを生成し、
−  前記デジタルネットワークを介して前記外部制御コンピュータに前記サービスリクエストを送信する
よう構成されるプロセッサ回路と
を含む、１つ以上の電子ビルオートメーションデバイスと、
（ＩＩ）制御コンピュータであって、
−  デジタルネットワークを介して前記１つ以上の電子ビルオートメーションデバイスと通信し、ビルオートメーションデバイスからビーコン識別子を含むサービスリクエストを受信するよう構成される通信インターフェースと、
−  プロセッサ回路であって、
−  前記ビルオートメーションデバイスを位置特定するデータを含むサービスメッセージを生成するよう構成され、前記データは、受信された前記サービスリクエスト内の前記ビーコン識別子から取得される、
プロセッサ回路と
を含む、制御コンピュータと
を含む、電子ビルオートメーションシステム。
【請求項２】
−  プロセッサ回路が、
−  サービスメッセージをモバイルサービスデバイスに送信するよう構成され、
当該システムは、前記モバイルサービスデバイスを含み、該モバイルサービスデバイスは、
−  デジタルネットワークを介して前記制御コンピュータと通信するよう構成される、及び前記ビルオートメーションデバイスを位置特定するデータを含むサービスメッセージを受信するよう構成される通信インターフェースと、
−  １つ以上のビルオートメーションデバイスの近くに設置された複数のビーコンから送信される位置特定ビーコン信号を受信するよう構成されるビーコン受信機であって、位置特定ビーコン信号は、該位置特定ビーコン信号を発信したビーコンを識別するビーコン識別子を含む、ビーコン受信機と、
−  プロセッサ回路であって、
−  当該サービスデバイスの前記ビーコン受信機を使用して当該サービスデバイスの現在位置に対して前記ビルオートメーションデバイスを位置特定するデータから前記ビルオートメーションデバイスの位置特定を得る、
プロセッサ回路と、
を含む、請求項１に記載の電子ビルオートメーションシステム。
【請求項３】
請求項１又は２に記載の電子ビルオートメーションシステムで用いる電子ビルオートメーションデバイスであって、
−  デジタルネットワークを介して外部制御コンピュータと通信するよう構成される通信インターフェースと、
−  １つ以上のビルオートメーションデバイスの近くに設置された複数のビーコンから送信される位置特定ビーコン信号を受信するよう構成されるビーコン受信機であって、位置特定ビーコン信号は、該位置特定ビーコン信号を発信したビーコンを識別するビーコン識別子を含む、ビーコン受信機と、
−  前記ビーコン受信機により受信されたビーコン識別子を記憶するためのビーコン識別子メモリと、
−  プロセッサ回路であって、
−  前記ビルオートメーションデバイスを監視し、
−  前記ビルオートメーションデバイスのサービスの必要性を判断し、もしそうなら、
−  前記判断されたサービスの必要性に基づいてサービスリクエストを生成し、該サービスリクエストは前記ビーコン識別子メモリに記憶されたビーコン識別子を含み、
−  前記デジタルネットワークを介して前記外部制御コンピュータに前記サービスリクエストを送信する
よう構成されるプロセッサ回路と
を含む、電子ビルオートメーションデバイス。
【請求項４】
前記プロセッサ回路は、
−  前記ビルオートメーションデバイスのコンポーネントを通る電流を測定すること、及び／又は
−  前記ビルオートメーションデバイスのコンポーネントにかかる電圧を測定すること、及び／又は
−  前記ビルオートメーションデバイスの使用強度
に基づいてサービスの必要性を判断するよう構成される、請求項３に記載の電子ビルオートメーションデバイス。
【請求項５】
当該ビルオートメーションデバイスは、照明器具である、又は当該ビルオートメーションデバイスは、暖房デバイス、換気デバイス、空調デバイス、スピーカ、自動空気弁、火災検知機、占有センサ、昼光センサ、壁スイッチのうちの何れかである、請求項３又は４に記載の電子ビルオートメーションデバイス。
【請求項６】
−  当該ビルオートメーションデバイスは、該ビルオートメーションデバイスのコンポーネントを流れる電流を決定するよう構成される電流測定ユニットを含み、該ビルオートメーションデバイスのプロセッサは、該ビルオートメーションデバイスがオン状態にあり、前記電流測定ユニットにより測定された電流が閾値を下回る場合にサービスの必要性を判断するよう構成される、及び／又は
−  当該ビルオートメーションデバイスは、該ビルオートメーションデバイスのコンポーネントにかかる電圧を決定するよう構成される電圧測定ユニットを含み、該ビルオートメーションデバイスのプロセッサは、該ビルオートメーションデバイスがオン状態にあり、前記電圧測定ユニットにより測定された電圧が閾値を超える場合にサービスの必要性を判断するよう構成される、及び／又は
−  当該ビルオートメーションデバイスは、カウンタを含み、該ビルオートメーションデバイスのプロセッサは、該ビルオートメーションデバイスの使用に応じて前記カウンタを増加させ、前記カウンタが閾値に達した場合にサービスの必要性を判断するよう構成される、請求項３、４又は５に記載の電子ビルオートメーションデバイス。
【請求項７】
モバイルサービスデバイスであって、
−  デジタルネットワークを介して制御コンピュータと通信するよう構成される、及びビルオートメーションデバイスを位置特定するデータを含むサービスメッセージを受信するよう構成される通信インターフェースと、
−  １つ以上のビルオートメーションデバイスの近くに設置された複数のビーコンから送信される位置特定ビーコン信号を受信するよう構成されるビーコン受信機であって、位置特定ビーコン信号は、該位置特定ビーコン信号を発信したビーコンを識別するビーコン識別子を含む、ビーコン受信機と、
−  プロセッサ回路であって、
−  当該サービスデバイスの前記ビーコン受信機を使用して該サービスデバイスの現在位置に対して前記ビルオートメーションデバイスを位置特定するデータから前記ビルオートメーションデバイスの位置特定を得る
よう構成されるプロセッサ回路と
を含む、モバイルサービスデバイス。
【請求項８】
前記サービスメッセージは、前記ビルオートメーションデバイスのビーコン受信機により受信されたビーコン識別子を含み、
−  当該サービスデバイスはディスプレイを備え、
−  当該サービスデバイスのプロセッサは、
−  当該サービスデバイスの前記ビーコン受信機により受信された前記位置特定ビーコン信号を前記サービスメッセージに含まれる前記ビーコン識別子と比較し、
−  マッチングが見つかった場合前記ディスプレイに信号を表示する
よう構成される、請求項７に記載のモバイルサービスデバイス。
【請求項９】
制御コンピュータであって、
−  デジタルネットワークを介して１つ以上の電子ビルオートメーションデバイスと通信する、及びビルオートメーションデバイスからビーコン識別子を含むサービスリクエストを受信するよう構成される通信インターフェースと、
−  プロセッサ回路であって、
−  前記ビルオートメーションデバイスを位置特定するデータを含むサービスメッセージを生成するよう構成され、前記データは、受信された前記サービスリクエスト内の前記ビーコン識別子から取得され、
−  前記サービスメッセージをモバイルサービスデバイスに送信する
よう構成されるプロセッサ回路と
を含む、制御コンピュータ。
【請求項１０】
−  前記ビルオートメーションデバイスのプロセッサは、
−  ビーコン識別子メモリに記憶されたビーコン識別子と１つ以上のビルオートメーションデバイス内のビルオートメーションデバイスを識別する前記ビルオートメーションデバイスの識別子とを含む位置特定メッセージを繰り返し生成する、及び前記位置特定メッセージをデジタルネットワークを介して外部制御コンピュータに送信するよう構成され、
−  前記制御コンピュータのプロセッサは、
−  前記ビルオートメーションデバイスの前記識別子に関連付けられた位置特定メッセージを記憶し、
−  前記位置特定メッセージが、ある期間内に前記ビルオートメーションデバイスの識別子に対して受信されていないと判断し、
−  前記ビルオートメーションデバイスを位置特定するデータを含むサービスメッセージを生成し、前記データは、最近の前記位置特定メッセージ内のビーコン識別子から取得され、
−  前記サービスメッセージをモバイルサービスデバイスに送信する
よう構成される、請求項１乃至９のいずれか一項に記載のビルオートメーションデバイス又は制御コンピュータ。
【請求項１１】
請求項３又は４に記載のビルオートメーションデバイスのためのビルオートメーション方法であって、
−  デジタルネットワークを介して外部制御コンピュータと通信するステップと、
−  １つ以上のビルオートメーションデバイスの近くに設置された複数のビーコンから送信される位置特定ビーコン信号を受信するステップであって、位置特定ビーコン信号は、該位置特定ビーコン信号が発信されたビーコンを識別するビーコン識別子を含む、ステップと、
−  前記ビーコン受信機により受信されたビーコン識別子を記憶するステップと、
−  前記ビルオートメーションデバイスを監視するステップと、
−  前記ビルオートメーションデバイスのサービスの必要性を判断するステップと、もしそうなら、
−  前記判断されたサービスの必要性に基づいてサービスリクエストを生成するステップであって、前記サービスリクエストは、ビーコン識別子メモリに記憶されたビーコン識別子を含む、ステップと、
−  前記サービスリクエストを前記デジタルネットワークを介して前記外部制御コンピュータに送信するステップと
を含む、ビルオートメーション方法。
【請求項１２】
モバイルサービス方法であって、
−  デジタルネットワークを介して制御コンピュータと通信する、及びビルオートメーションデバイスを位置特定するデータを含むサービスメッセージを受信するステップと、
−  １つ以上のビルオートメーションデバイスの近くに設置された複数のビーコンから送信される位置特定ビーコン信号を受信するステップであって、位置特定ビーコン信号は、該位置特定ビーコン信号が発信されたビーコンを識別するビーコン識別子を含む、ステップと、
−  サービスデバイスのビーコン受信機を使用して該サービスデバイスの現在位置に対して前記ビルオートメーションデバイスを位置特定するデータから前記ビルオートメーションデバイスの位置特定を得るステップと
を含む、モバイルサービス方法。
【請求項１３】
制御方法であって、
−  デジタルネットワークを介して１つ以上の電子ビルオートメーションデバイスと通信する、及びビルオートメーションデバイスからビーコン識別子を含むサービスリクエストを受信するステップと、
−  前記ビルオートメーションデバイスを位置特定するデータを含むサービスメッセージを生成するステップであって、前記データは、前記受信されたサービスリクエスト内のビーコン識別子から取得される、ステップと、
−  前記サービスメッセージをモバイルサービスデバイスに送信するステップと
を含む、制御方法。
【請求項１４】
プロセッサシステムに請求項１１乃至１３の何れか一項に記載の方法を実行させるための命令を表す一時的又は非一時的データを含むコンピュータ可読媒体。